(57)【要約】【課題】サーマルヘッドを用いたプリンタ装置を小型にする。【解決手段】プリントヘッドとプラテンローラとの間に挟まれた記録紙に印字を行なうプリンタ装置において、プリントヘッドの印字面側となる正面の一部には、前記記録紙の搬送経路を形成するための記録紙ガイドが設置されており、前記プリントヘッドの背面には、前記プラテンローラが設置されている側に力が働くバネが設置されており、前記プラテンローラが取り外されたときには、前記バネにより、前記プリントヘッドと前記記録紙ガイドとが前記プラテンローラが設置されている側に向けて、一体で動くことを特徴とするプリンタ装置を提供することにより上記課題を解決する。【選択図】  図２
2015044353.tif 000002
【特許請求の範囲】
【請求項１】
プリントヘッドとプラテンローラとの間に挟まれた記録紙に印字を行なうプリンタ装置において、
プリントヘッドの印字面側となる正面の一部には、前記記録紙の搬送経路を形成するための記録紙ガイドが設置されており、
前記プリントヘッドの背面には、前記プラテンローラが設置されている側に力が働くバネが設置されており、
前記プラテンローラが取り外されたときには、前記バネにより、前記プリントヘッドと前記記録紙ガイドとが前記プラテンローラが設置されている側に向けて、一体で動くことを特徴とするプリンタ装置。
【請求項２】
前記記録紙ガイドは、前記プリントヘッドに取り付けられており、
前記プリントヘッドと前記記録紙ガイドは、一体となっていることを特徴とする請求項１に記載のプリンタ装置。
【請求項３】
前記プラテンローラが取り外されたときには、前記バネの復元力により、前記プリントヘッドと前記記録紙ガイドとが前記プラテンローラが設置されている側に向けて、一体で動くことを特徴とする請求項１または２に記載のプリンタ装置。
【請求項４】
前記プリントヘッドの背面には、放熱板が設置されており、
前記プリントヘッド、前記記録紙ガイド及び前記放熱板は、一体となっていることを特徴とする請求項１から３のいずれかに記載のプリンタ装置。
【請求項５】
前記放熱板の両側の側面には、各々側面突起部が設けられており、
前記放熱板の底面には、底面突起部が設けられており、
前記記録紙ガイドには、前記側面突起部に対応した引っ掛け部と、前記底面突起部に対応した嵌合部が設けられており、
前記プリントヘッドは、前記放熱板と前記記録紙ガイドとの間に挟まれた状態で、前記記録紙ガイドにおける前記引っ掛け部が、前記放熱板における側面突起部に引っ掛けられ、前記記録紙ガイドにおける嵌合部が、前記放熱板における底面突起部に嵌合することにより、前記プリントヘッド、前記放熱板及び前記記録紙ガイドが一体となっていることを特徴とする請求項４に記載のプリンタ装置。
【請求項６】
前記プリントヘッド、前記放熱板及び前記記録紙ガイドは、フレームに設置されており、
前記フレームと前記放熱板との間には、前記バネが設置されていることを特徴とする請求項５に記載のプリンタ装置。
【請求項７】
プリントヘッドとプラテンローラとの間に挟まれた記録紙に印字を行なうプリンタ装置において、
プリントヘッドの印字面の側となる正面の一部には、前記記録紙の搬送経路を形成するための記録紙ガイドが設置されており、
前記プリントヘッドの背面には、放熱板が設置されており、
前記プリントヘッド、前記記録紙ガイド及び前記放熱板は、一体となっていることを特徴とするプリンタ装置。
【請求項８】
前記放熱板の両側の側面には、各々側面突起部が設けられており、
前記放熱板の底面には、底面突起部が設けられており、
前記記録紙ガイドには、前記側面突起部に対応した引っ掛け部と、前記底面突起部に対応した嵌合部が設けられており、
前記プリントヘッドは、前記放熱板と前記記録紙ガイドとの間に挟まれた状態で、前記記録紙ガイドにおける前記引っ掛け部が、前記放熱板における側面突起部に引っ掛けられ、前記記録紙ガイドにおける嵌合部が、前記放熱板における底面突起部に嵌合することにより、前記プリントヘッド、前記放熱板及び前記記録紙ガイドが一体となっていることを特徴とする請求項７に記載のプリンタ装置。
【請求項９】
前記プリントヘッド、前記放熱板及び前記記録紙ガイドは、フレームに設置されており、
前記フレームと前記放熱板との間には、バネが設置されており、
前記バネは伸びる方向に復元力を有する状態で設置されていることを特徴とする請求項８に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、記録紙にサーマルヘッド等による印字がなされる。
【先行技術文献】
【特許文献】
【０００４】
【特許文献１】特許第２５８５７６９号公報
【特許文献２】特開平７−６８８６６号公報
【特許文献３】特開２００３−２４６１０４号公報
【発明の概要】
【発明が解決しようとする課題】
【０００５】
一般的には、図１に示すように、プリンタ本体部に設置されているサーマルヘッド９１０には、放熱板９１１が取り付けられており、放熱板９１１が設けられている側に不図示のバネが設けられている。図１（ａ）に示すように、プラテンローラ９２０が設置されている状態においては、バネによる復元力により、サーマルヘッド９１０はプラテンローラ９２０が設置されている側に押されている。従って、図１（ｂ）に示すように、プラテンローラ９２０を取り外した際には、サーマルヘッド９１０は、バネの復元力によりプラテンローラが設置されていた側に押されて動く。
【０００６】
図１に示されるように、プリンタ本体部には、プラテンローラ９２０が設置される部分の近傍には、記録紙ガイド９３０や記録紙を検出する記録紙センサ９３１が設けられている。通常、プラテンローラ９２０を取り外すことにより、バネの復元力によりサーマルヘッド９１０が動いた際には、サーマルヘッド９１０が記録紙ガイド９３０等と接触しないように、サーマルヘッド９１０と記録紙ガイド９３０との間には、所定の間隔の隙間が設けられている。このようなサーマルヘッド９１０と記録紙ガイド９３０との間の隙間は、プリンタ装置の小型化の妨げとなる。また、このような所定の間隔の隙間を設けた場合には、記録紙の搬送経路を形成している記録紙ガイド９３０における傾斜角を浅くする必要があり、このため記録紙ガイド９３０の大きさが大きくなり、プリンタ装置が大きくなってしまう。
【０００７】
尚、サーマルヘッド９１０には、記録紙と接する側に、ＩＣ（Integrated Circuit）９１０ａ等が出っ張った状態で設置されているが、このＩＣ９１０ａは、感熱紙である記録紙と接触すると、記録紙が擦れて傷つく場合等がある。尚、このＩＣ９１０ａは、駆動用のＩＣである。
【０００８】
よって、サーマルヘッドを用いたプリンタ装置において、小型化されているプリンタ装置が求められている。
【課題を解決するための手段】
【０００９】
本実施の形態の一観点によれば、プリントヘッドとプラテンローラとの間に挟まれた記録紙に印字を行なうプリンタ装置において、プリントヘッドの印字面側となる正面の一部には、前記記録紙の搬送経路を形成するための記録紙ガイドが設置されており、前記プリントヘッドの背面には、前記プラテンローラが設置されている側に力が働くバネが設置されており、前記プラテンローラが取り外されたときには、前記バネにより、前記プリントヘッドと前記記録紙ガイドとが前記プラテンローラが設置されている側に向けて、一体で動くことを特徴とする。
【００１０】
また、本実施の形態の他の一観点によれば、プリントヘッドとプラテンローラとの間に挟まれた記録紙に印字を行なうプリンタ装置において、プリントヘッドの印字面の側となる正面の一部には、前記記録紙の搬送経路を形成するための記録紙ガイドが設置されており、前記プリントヘッドの背面には、放熱板が設置されており、前記プリントヘッド、前記記録紙ガイド及び前記放熱板は、一体となっていることを特徴とする。
【発明の効果】
【００１１】
本発明によれば、サーマルヘッドを用いたプリンタ装置を小型化にすることができる。
【図面の簡単な説明】
【００１２】
【図１】従来のプリンタ装置の断面図
【図２】本実施の形態におけるプリンタ装置の断面図
【図３】本実施の形態におけるプリンタ装置の説明図（１）
【図４】本実施の形態におけるプリンタ装置の説明図（２）
【図５】本実施の形態におけるプリンタ装置の説明図（３）
【図６】本実施の形態におけるプリンタ装置の説明図（４）
【図７】本実施の形態におけるプリンタ装置の説明図（５）
【図８】本実施の形態におけるプリンタ装置の説明図（６）
【図９】本実施の形態におけるプリンタ装置の説明図（７）
【図１０】本実施の形態におけるプリンタ装置の説明図（８）
【発明を実施するための形態】
【００１３】
本発明を実施するための形態について、以下に説明する。尚、同じ部材等については、同一の符号を付して説明を省略する。
【００１４】
（プリンタ装置）
本実施の形態におけるプリンタ装置について、図２に基づき説明する。図２（ａ）は、本実施の形態におけるプリンタ装置において、プラテンローラが設置されている状態の断面図であり、図２（ｂ）は、プラテンローラが取り外されている状態の断面図である。
【００１５】
本実施の形態におけるプリンタ装置においては、プリンタ本体部に設置されているサーマルヘッド１０には、放熱板１１が取り付けられており、放熱板１１が設けられている側にバネ１２が設けられている。図２（ａ）に示すように、プラテンローラ２０が設置されている状態において、バネ１２による復元力により、サーマルヘッド１０はプラテンローラ２０が設置されている側に押されている。従って、図２（ｂ）に示すように、プラテンローラ２０を取り外した際には、サーマルヘッド１０は、バネの復元力によりプラテンローラ２０の設置されていた側に押されて動く。尚、本実施の形態においては、プリントヘッドであるサーマルヘッド１０は、感熱紙等の記録紙に印字等をすることができるものである。
【００１６】
本実施の形態においては、不図示の記録紙の搬送経路を形成している記録紙ガイド３０はサーマルヘッド１０の印字面側となる正面の一部に固定されている。従って、図２（ｂ）に示すように、サーマルヘッド１０がバネ１２の復元力により動いた場合には、記録紙ガイド３０もサーマルヘッド１０とともに動く。よって、本実施の形態においては、サーマルヘッド１０と記録紙ガイド３０との間において、サーマルヘッド１０がバネ１２による復元力により動いた場合の隙間を考慮することなく、サーマルヘッド１０と記録紙ガイド３０との間隔を狭く形成することができる。また、サーマルヘッド１０と記録紙ガイド３０との間隔を狭くすることにより、記録紙ガイド３０における傾斜角を急峻にすることができ、記録紙ガイド３０を小型にすることができる。従って、本実施の形態においては、プリンタ装置を小型化にすることができる。更に、サーマルヘッド１０に設置されているＩＣ１０ａを覆うように、記録紙ガイド３０が設置されているため、ＩＣ１０ａにおいて記録紙が擦れることを防ぐことができる。尚、不図示の記録紙は、記録紙ガイド３０により形成される搬送経路を通り、サーマルヘッド１０とプラテンローラ２０との間に搬送される。
【００１７】
次に、本実施の形態におけるプリンタ装置の構造について、より詳細に説明する。本実施の形態におけるプリンタ装置は、図３に示すように、サーマルヘッド１０の背面に放熱板１１が取り付けられており、印字面となる正面の一部には記録紙ガイド３０が取り付けられている。よって、サーマルヘッド１０、放熱板１１及び記録紙ガイド３０が一体となっている。図３（ａ）は、サーマルヘッド１０、放熱板１１及び記録紙ガイド３０を分解した状態の正面側の斜視図であり、図３（ｂ）は、サーマルヘッド１０、放熱板１１及び記録紙ガイド３０が一体となっている状態の正面側の斜視図である。尚、本実施の形態においては、サーマルヘッド１０、放熱板１１及び記録紙ガイド３０が一体となっているものをヘッドユニットと記載する場合がある。
【００１８】
図３（ｂ）及び図４に示されるように、サーマルヘッド１０は放熱板１１と記録紙ガイド３０とに挟まれた状態で固定されている。具体的には、放熱板１１の両側の側面の上部には、各々側面突起部１１ａが設けられており、下側の底面には２つの底面突起部１１ｂが設けられている。記録紙ガイド３０には、放熱板１１における側面突起部１１ａに引っ掛けることができるように、両側の端部近傍の上部に、各々側面突起部１１ａの形状に対応したコの字状の形状の引っ掛け部３０ａが設けられている。また、下側の底面には、放熱板１１における底面突起部１１ｂに嵌合させることのできるように、底面突起部１１ｂの形状に対応した２つの嵌合部３０ｂが設けられている。尚、図４（ａ）は、サーマルヘッド１０、放熱板１１及び記録紙ガイド３０が一体となっている状態の背面側の斜視図であり、図４（ｂ）は、図４（ａ）における一点鎖線４Ａで囲まれた領域の拡大図である。
【００１９】
従って、本実施の形態においては、放熱板１１と記録紙ガイド３０との間に、サーマルヘッド１０が挟まれている状態で、放熱板１１における各々の側面突起部１１ａに、記録紙ガイド３０における各々コの字状の形状の引っ掛け部３０ａが、各々引っ掛けられており、放熱板１１における各々の底面突起部１１ｂに、記録紙ガイド３０における嵌合部３０ｂが嵌合している。これにより、サーマルヘッド１０、放熱板１１及び記録紙ガイド３０が固定され、ヘッドユニットとして一体となっている。
【００２０】
本実施の形態におけるプリンタ装置においては、サーマルヘッド１０、放熱板１１及び記録紙ガイド３０が一体となっているヘッドユニットは、図５から図７に示されるように、フレーム４０に取り付けられている。尚、図５はヘッドユニットがフレーム４０に取り付けられる前の状態の正面側の斜視図である。図６（ａ）はヘッドユニットがフレーム４０に取り付けられている状態の正面側の斜視図であり、図６（ｂ）はヘッドユニットがフレーム４０に取り付けられている状態の背面側の斜視図である。また、図７（ａ）は、図６（ａ）における一点鎖線６Ａで囲まれた領域の拡大図であり、図７（ｂ）は、図６（ｂ）における一点鎖線６Ｂで囲まれた領域の拡大図である。
【００２１】
フレーム４０には、両側にヘッド位置決めのためのコの字状に形成された側面切り込み部４１、４２と、下側においてヘッドユニットを支持するためのコの字状に形成された底面切り込み部４３、４４とを有している。ヘッドユニットにおける放熱板１１の一方の側面の側面突起部１１ａは、フレーム４０における一方の側面の側面切り込み部４１に入り込んでおり、放熱板１１の他方の側面の側面突起部１１ａは、フレーム４０における他方の側面の側面切り込み部４２に入り込んでいる。また、ヘッドユニットにおける放熱板１１の２つの底面突起部１１ｂは、フレーム４０における底面切り込み部４３、４４に各々入り込んでいる。
【００２２】
このような状態において、図８に示すように、バネ１２をフレーム４０とヘッドユニットにおける放熱板１１との間に設置する。バネ１２は巻バネであって、フレーム４０と放熱板１１との間に設置されている状態において、バネ１２が伸びる方向に復元力が働くように設置されている。バネ１２が、巻バネ以外にも板バネ等であってもよい。これにより、プラテンローラが印字可能な状態で設置されている場合において、サーマルヘッド１０からプラテンローラ２０に向かって、バネ１２による復元力による力が加わっている。よって、プラテンローラ２０を取り外した際には、ヘッドユニット全体がプラテンローラ２０の設置されていた側に動く。尚、図８（ａ）は、バネ１２が設置される前の状態における正面側の斜視図であり、図８（ｂ）は、バネ１２が設置された状態における正面側の斜視図である。
【００２３】
本実施の形態においては、図９に示すように、図８（ｂ）に示されるフレーム４０にヘッドユニットが取り付けられているものに、更に、搬送用モータ５０を取り付け、プラテンローラ２０を所定の位置に設置する。これにより、カッターのない構造のプリンタ装置を得ることができる。
【００２４】
また、図１０に示すように、図８（ｂ）に示されるフレーム４０にヘッドユニットが取り付けられているものに、更に、搬送用モータ５０及びカッター部６０を取り付け、プラテンローラ２０を所定の位置に設置する。これにより、カッターを有する構造のプリンタ装置を得ることができる。尚、カッター部６０には、固定刃、可動刃、可動刃を動かすための可動刃用モータ等が設けられている。
【００２５】
本実施の形態においては、プラテンローラ２０を取り外した場合に、バネ１２による復元力により、サーマルヘッド１０、放熱板１１及び記録紙ガイド３０からなるヘッドユニットが一体として動く。このため、サーマルヘッド１０と記録紙ガイド３０との隙間を考慮することなく設計し作製することができ、プリンタ装置を小型化することができる。また、サーマルヘッド１０に設けられているＩＣ１０ａは、記録紙ガイド３０により覆われているため、記録紙がサーマルヘッド１０に設けられているＩＣ１０ａにより擦れることを防ぐことができる。
【００２６】
以上、本発明の実施に係る形態について説明したが、上記内容は、発明の内容を限定するものではない。
【符号の説明】
【００２７】
１０        サーマルヘッド
１０ａ      ＩＣ
１１        放熱板
１１ａ      側面突起部１１ａ
１１ｂ      底面突起部１１ｂ
１２        バネ
２０        プラテンローラ
３０        記録紙ガイド
３０ａ      引っ掛け部
３０ｂ      嵌合部
４０        フレーム
４１、４２        側面切り込み部
４３、４４        底面切り込み部
５０        搬送用モータ
６０        カッター部
【図１】
2015044353.tif 000003
【図２】
2015044353.tif 000004
【図３】
2015044353.tif 000005
【図４】
2015044353.tif 000006
【図５】
2015044353.tif 000007
【図６】
2015044353.tif 000008
【図７】
2015044353.tif 000009
【図８】
2015044353.tif 000010
【図９】
2015044353.tif 000011
【図１０】
2015044353.tif 000012